(57)【特許請求の範囲】
【請求項１】
植物屋根を有する建物の消火方法であって、前記植物屋根とともに屋根裏を構成する通気性を有する天井材をあらかじめ設けておき、火災時に前記屋根裏に消火用泡を充満させることを特徴とする消火方法。
【請求項２】
火災時に、前記屋根裏に消火用泡を充満させるのに加えて、さらに、前記植物屋根の表面に湿潤材の混合液を散水させることを特徴とする請求項１記載の消火方法。
【請求項３】
植物屋根を有する建物の消火装置であって、前記建物の屋根裏に消火用泡を供給する消火用泡供給装置と、前記屋根裏に供給された消火用泡を屋根裏内に充満させるための通気性を有する天井材と、とからなることを特徴とする消火装置。
【発明の詳細な説明】
【０００１】
【発明の属する技術分野】
この発明は、消火方法及び消火装置に関するものである。
【０００２】
【従来の技術】
茅葺き、檜皮葺き、柿葺きなどの植物屋根を有する例えば文化財などの建物では、近隣の火災によって生じる火の粉や、たき火による火の粉が風によって運ばれて屋根に落下し、これが原因で屋根が燃えだし火災となる場合が多い。
【０００３】
このため、この種建物では、建物の周囲に消火栓装置を設けたり、場合によっては建物の周囲を水幕で囲う水幕装置を設けたりしている。
【０００４】
【発明が解決しようとする課題】
水幕装置は、建物の周囲に水幕を形成するので、飛んでくる火の粉に対しては有効な防火手段である。しかし、設置費用が非常に高価であるとともに、保守管理が大変なため、一部の建物にしか使用されていないのが実状である。また、水幕装置は火の粉に対しては有効であるが、火の粉などによって屋根の内部に火がつく、すなわち深部火災が発生すると、消火に時間がかかるという問題が発生する。これは、植物屋根の屋根材の表面には油分が内部から滲み出ており、この油分によって水が内部まで進入しにくいことによる。
【０００５】
消火栓装置のホースを用いて屋根に放水しても、屋根の表面には水がかかるが屋根の深部には、屋根材表面の油分のため、なかなか浸透しない。
【０００６】
また、屋根の深部で火災が発生した場合には、火災は屋根表面（外）側と屋根裏側に拡大していく。屋根表面側に広がった火災に対しては、水幕装置による水幕や消火栓装置のホースによる放水は有効であるが、屋根裏側に広がった火災は火のついた屋根材の破片が天井板の上や室内に落下し、建物内に火災を広げることとなる。
【０００７】
この発明は、上記の点に鑑み、屋根から建物内に落下する着火した屋根材によって火災が建物内に広がるのを防止する消火方法及び消火装置を目的とするものである。
【０００８】
また、屋根から建物内に落下する着火した屋根材によって火災が建物内に広がるのを防止するとともに、屋根の外側から屋根の内部にまで消火液を浸透させて深部火災を防止することを目的とするものである。
【０００９】
また、上記目的に適した消火装置を提供することを目的とするものである。
【００１０】
【課題を解決するための手段】
本発明による消火方法は、植物屋根を有する建物の消火方法であって、前記植物屋根とともに屋根裏を構成する通気性を有する天井材をあらかじめ設けておき、火災時に前記屋根裏に消火用泡を充満させることを特徴とするものである。
【００１１】
そして、火災時に、前記屋根裏に消火用泡を充満させるのに加えて、さらに、前記植物屋根の表面に湿潤材の混合液を散水させることを特徴とするものである。
【００１３】
また、本発明による消火装置は、植物屋根を有する建物の消火装置であって、前記建物の屋根裏に消火用泡を供給する消火用泡供給装置と、前記屋根裏に供給された消火用泡を屋根裏内に充満させるための通気性を有する天井材と、とからなることを特徴とするものである。
【００１５】
【発明の実施の形態】
この発明による消火方法並びに消火装置の１実施形態を図面により説明する。
【００１６】
図１〜図３において、１０は植物葺き、例えば茅葺きや檜皮葺きの屋根１１を有する建物で、１２は屋根１１の上部に設けられた破風部である。なお、図３に示すように、建物１０内の天井が屋根１１の内面側が透けて見える格子天井１３の場合、もしくは天井部材が設けられていない建物の場合には、後述する消火用泡を支えるとともに常時は通気性を確保するための天井材１４として、穴径の小さいパンチングメタル、あるいは、穴径の大きなパンチングメタルまたは金網に通気性のある幕を貼ったものが設置されている。また、図２に示すように、建物１０内に天井板１５が設けられている場合、その天井板１５の強度が弱い場合には天井板１５の背面側に消火用泡を支えるため上記天井材１４を設け、天井板１５が充満した消火用泡を支えるのに十分な場合には天井板１５を消火用泡を支える天井材として用いる。
【００１７】
２１は建物１０の周囲に設置されているホース２２を収納した消火栓箱、２６は同じく建物の近傍に設けられた消防隊用の給水栓である。
【００１８】
３１は移動式のエンジン駆動型泡発生器、３２は例えば界面活性剤などの消火用泡原液が入った泡原液タンク、３３は手動式弁、３４は給水用ホース、３５は、給水用ホース３４を消火栓箱２１の給水弁２３や給水栓２６などに接続するための接続具、である。また、３６は、給水用ホース３４から供給される水の作用により泡原液タンク３２から泡原液を吸い上げ、泡原液と水とを所定の割合で混合した泡混合液にして泡発生器３１に供給する混合機、３７は、泡発生器３１で発生した泡を所定の場所まで導く、伸縮自在な蛇腹式の泡ガイド筒で、この泡ガイド筒３７の先端には後述する通気窓などの開口部に固定するための図示しない引掛具が設けられている。この泡原液タンク３２、手動式弁３３と混合機３６は、運搬や操作の容易性を計るため、１台のユニットとして構成されている。なお、このユニットを泡発生器３１に組み込むようにしてもよい。そしてこの実施態様では、泡発生器３１、泡原液タンク３２、給水用ホース３４、混合機３６と泡ガイド筒３７とで消火用泡供給装置を構成している。
【００１９】
４１は放水ノズル、４２はホース、４３は湿潤剤が入った湿潤剤タンク、４４はホース４２を消火栓箱２１の給水弁２３や給水栓２６などに接続するための接続具、である。また、４５は、ホース４２から供給される水の作用により湿潤材タンク４３から湿潤材を吸い上げ、湿潤材を水に所定の割合で混合して放水ノズル４１に供給する混合機である。なお、湿潤剤としては、例えば、アルキルサルフェートアミン、アルキルナフタリンスルホン酸ナトリウムあるいはポリオキシエチレンアルキルエーテル等を主成分とする薬剤、例えば界面活性剤が使用される。
【００２０】
次にこの実施態様における動作を説明すると、建物１０の近くで火災が発生したとき、エンジン駆動型泡発生器３１を建物１０近くまで運び、泡発生器３１に接続されている泡ガイド筒３７を延伸し、その先端に設けられた図示しない引掛具を屋根１１の破風部１２に設けられた通気窓１６に引っかけて固定する。また、混合機３６を泡発生器３１に接続するとともに、混合機３６に接続された給水ホース３４を接続具３５によって消火栓箱２１の給水弁２３に接続し、給水弁２３を開弁する。なお、給水ホース３４は給水栓２６に接続するようにしてもよい。そして、泡発生器３１の図示しないエンジンを起動して送風ファンを回転させるとともに、混合機３６のそばの手動式弁３３を開く。
【００２１】
これにより、消火栓箱２１から混合機３６に水が供給され、混合機３６では供給される水の作用により泡原液タンク３２から泡原液を吸い出し、水と泡原液とが所定の割合で混合された泡混合液が生成され、この泡混合液は泡発生器３１に供給される。
【００２２】
泡発生器３１では、混合機３６から供給される泡混合液を図示しないノズルから図示しない発泡ネットに吹き付け、発泡ネットに吹き付けられた泡混合液は送風ファンによって供給される多量の空気によって消火用泡を、１００倍前後以上の高発泡、例えば５００倍で発泡する。このようにして多量に発生する消火用泡は、泡ガイド筒３７を通過して通気窓１６から屋根裏１７に供給され、屋根裏１７は図２あるいは図３に示すように消火用泡によって満たされる。これにより、飛び火などによって屋根１１の部材が燃えて火の粉が屋根裏１７に落下しても、火の粉は消火用泡によって消火されてしまい、天井板１５（図２）や室内（図３）に落下することがなくなる。
【００２３】
この屋根裏１７内に満たされた消火用泡は、屋根１１の内面に接した泡は次々と供給される泡によって押しつぶされて消泡して泡混合液に戻る。このようにして生じた泡混合液は、混合液中に含まれている泡原液の作用によって、屋根部材表面に滲み出ている油分によってはじかれることがなく、屋根１１の内部に浸透する。この結果、屋根１１の部材の屋根裏に近い部分は泡混合液によって湿らされるので、屋根１１の深部での着火が防止される。
【００２４】
また、途中に混合機４５が設けられたホース４２を接続具４４によって給水栓２６に接続する。そして、放水ノズル４１を持って屋根１１に向けるとともに、給水栓２６の図示しない開閉弁を開く。
【００２５】
これにより、給水栓２６から供給される水により、混合機４５は湿潤材タンク４３から湿潤材を吸い出して湿潤材を所定の割合で水に混合され、混合液は放水ノズル４１から屋根１１に向けて放水される。
【００２６】
屋根１１に放水・散水された混合液は、湿潤材の作用により、萱や檜皮などの屋根材の表面に油分が滲みだしていても、その油分によってはじかれることがない。このため、混合液は屋根１１の表面から内部に浸透し、外から飛んできた火の粉が屋根１１の内部に入って屋根材に着火するのを防止したり、火災の拡大を抑制する。
【００２７】
なお、上記説明では、屋根裏１７に消火用泡を充満させるのに、消火用泡を屋根１１の破風部１２の通気窓１６から屋根裏１７に注入するようにしたが、破風部以外の屋根部分に設けられた通気窓、排煙窓や明かり窓などの開口部、あるいは天井材１４や天井板１５に設けられた屋根裏へ入るための出入り用開口部から消火用泡を注入するようにしてもよい。消火用泡としては、発泡倍率が１００倍前後以上の倍率の高発泡の泡を用いればよい。
【００２８】
また、屋根１１の表面に湿潤材の混合液を手持ち式の放水ノズルで行う場合について説明したが、建物１０の周囲に例えばポップアップ式の放水銃を縦穴に設けておき、火災時に放水銃を水圧などによってポップアップさせ、放水銃から湿潤材の混合液を放水させるようにしてもよい。
【００２９】
【発明の効果】
この発明の消火方法は、植物屋根を有する建物の植物屋根と通気性を有する天井材とで形成される屋根裏に消火用泡を充満させるようにしたので、植物屋根の火のついた屋根材が落下しても、充満した消火用泡によってただちに消火されるため、建物内に火が拡大することがない。しかも、天井材を、通気性を有しているものとすることにより、屋根部分に設けられた通気窓などの開口部を通じての建物内と外部との通気性を、消火装置設置前の状態で確保することができる。
【００３０】
そして、植物屋根を有する建物の屋根裏に消火用泡を充満させるのに加えて、前記植物屋根の表面に湿潤材の混合液を散水させるようにしたので、植物屋根の火のついた屋根材が落下しても、充満した消火用泡によってただちに消火されるとともに、屋根の表面に散水された湿潤材の混合液は屋根の内部にまで浸透し、屋根の表面火災はもちろん深部火災を防止したり消火したりできる。
【００３１】
また、この発明の消火装置は、植物屋根を有する建物の屋根裏に消火用泡を供給する消火用泡供給装置と、前記屋根裏に供給された消火用泡を屋根裏内に充満させるための天井材と、とからなるので、簡単な構成で、屋根裏に消火用泡を確実に充満させることができ、火のついた屋根材の落下による火災を防止できるとともに、前記天井材を、通気性を有しているものとしていることにより、屋根部分に設けられた通気窓などの開口部を通じての建物内と外部との通気性を、消火装置設置前の状態で確保することができる。
【図面の簡単な説明】
【図１】本発明の１実施形態を説明する構成図。
【図２】図１の建物の断面図。
【図３】図１の建物の他の断面図。
【符号の説明】
１０  建物
１１  植物屋根
１２  破風部
１４  天井材
１６  通気窓
２１  消火栓箱
２６  給水栓
３１  泡発生器
３２  泡原液タンク
３３  手動式弁
３４  給水ホース
３５  接続具
３６  混合機
４１  放水ノズル
４２  ホース
４３  湿潤材タンク
４４  接続具
４５  混合機
【図１】
0003651505.tif 000002
【図２】
0003651505.tif 000003
【図３】
0003651505.tif 000004